(57)【要約】【課題】傷んだ瓦を素人でも簡単に修復でき、また、傷まないように予め屋根瓦に装着しておくこともできる体裁の良い機能性瓦補強盤を提供する。【解決手段】屋根瓦の上面を被覆できるように、その上面の起伏に沿って薄い板状において湾曲ないし屈曲する形状に形成した耐熱性素材からなることを特徴とする。【効果】積雪や凍結等を原因としてひび割れして傷んだ瓦を素人でも簡単に修復でき、また、痛まないように予め屋根瓦に装着しておくこともでき、雨漏りしないように、しかも、体裁が保持されるように、屋根を管理する上に優れた効果がある。【選択図】図１
2007247312.tif 000002
【特許請求の範囲】
【請求項１】
屋根瓦の上面を被覆できるように、その上面の起伏に沿って薄い板状において湾曲ないし屈曲する形状に形成した耐熱性素材からなる機能性瓦補強盤。
【請求項２】
裏面に断熱又は保温機能を持つ被覆材を接着ないし被着したことを特徴とする請求項１記載の機能性瓦補強盤。
【請求項３】
上面の前面または一部に色彩を施してなり、屋根に葺いた屋根瓦の配列において、色彩の配列により文字や絵模様が表され得るように構成したことを特徴とする請求項１又は２記載の機能性瓦補強盤。
【請求項４】
太陽光を受ける上面の下の断面構造においてソーラ発電可能に構成したことを特徴とする請求項１，２又は３記載の機能性瓦補強盤。
【請求項５】
屋根に積もった雪が軒先で滞留しないように軒先の屋根瓦用であって、雪が滑り落ちやすく摩擦の少ない上面に形成したことを特徴とする請求項１，２，３又は４記載の機能性瓦補強盤。
【発明の詳細な説明】
【技術分野】
【０００１】
この発明は、屋根に葺かれる瓦に被着する機能性瓦補強盤に関する。
【背景技術】
【０００２】
屋根瓦には一般的に和瓦または桟瓦と称される素焼きの瓦が使用され、その表面には釉薬を施して焼結してある。形状については、左右間が中央に低く谷状に湾曲し一側に隆起する山部が形成され、一対角の両角に切欠を設けてあり、また、裏面には屋根の瓦桟に引っ掛ける突起が形成されている。
【０００３】
これを葺く時には、予め屋根には横長に瓦桟を釘付けして配列しておいて、それに突起を掛けることによって、縦横に並べながら切欠どうしで掛け合わせることによって葺かれ、この葺き方で瓦が相互に持ち合って安定した結合関係が構築される。なお、瓦を葺くときには、それを瓦桟に銅線で結びつけられるか、部分的に一部瓦について釘付けされる。
【発明の開示】
【発明が解決しようとする課題】
【０００４】
いずれにしても従来の屋根瓦であると、冬季の積雪の重みや、大屋根からの落雪の衝撃、あるいは瓦の凍結によりひび割れが生じることがあり、そこから雨漏りが生じることになるので修復する必要があるが、傷んだ瓦を取り替えることは素人には困難であり、応急的にトタン板を瓦の下に差し込んで取り付けることもあったが、脱落しやすいばかりでなく体裁が良くないという問題があった。
【０００５】
この発明は、上記のような実情に鑑みて、傷んだ瓦を素人でも簡単に修復でき、また、傷まないように予め屋根瓦に装着しておくこともできる体裁の良い機能性瓦補強盤を提供することを目的とした。
【課題を解決するための手段】
【０００６】
上記の課題を解決するために、この発明は、屋根瓦の上面を被覆できるように、その上面の起伏に沿って薄い板状において湾曲ないし屈曲する形状に形成した耐熱性素材からなる機能性瓦補強盤を提供する。
【０００７】
機能性瓦補強盤を上記のように構成したから、この使用については、先付けとして屋根瓦に予め被着して屋根を葺くやり方と、傷んだ瓦だけにその修復のために被着する部分的な後付けとがある。先付けであると冬季の積雪の重みや落雪の衝撃に耐えて屋根瓦にひび割れが生じないように保護し、後付けであるとひび割れた瓦に被着することにより、雨漏りしないように修復できる。修復の場合は、傷んでいる瓦に対して掛かっている上の瓦を持ち上げると同時に、一側の瓦を補助的に少し持ち上げることによりそれらの瓦の間に差し込み、当該傷んでいる瓦の上に容易に被着することができる。なお、耐熱性素材としては、耐熱性プラスチックを素材とするものの他、金属性素材であっても良い。
【発明の効果】
【０００８】
以上説明したように、この発明の機能性瓦補強盤によれば、積雪や凍結等を原因としてひび割れして傷んだ瓦を素人でも簡単に修復でき、また、痛まないように予め屋根瓦に装着しておくこともでき、雨漏りしないように、しかも、体裁が保持されるように、屋根を管理する上に優れた効果がある。
【０００９】
また、請求項２によれば、断熱性が良好であるので、室内の冷暖房の効率を高めることができ、請求項３によれば、屋根を好みに応じて斬新に模様替えでき、請求項４の如くにすれば、合理的に自家発電装置を完成でき、請求項５のようにすれば、屋根の雪下ろしの労働を軽減したり雪の大量落下の危険を防止することができる。
【発明を実施するための最良の形態】
【００１０】
次に、この発明の実施形態を図面に基づいて説明する。
【００１１】
図１及び図２は、どちらかと言えば先付けの機能性瓦補強盤Ｐを示したもので、そのうち、図１は、屋根瓦Ｔとの関係においてそれと分離して示す斜視図であり、図２は、屋根瓦Ｔを葺いた状態において使用状態を示す断面図である。なお、両図においては後記する実施形態の説明のために仮想線としての二点鎖線が加えられている。そこで、最初の実施形態として実線および鎖線について同図の機能性瓦補強盤Ｐを説明することになる。
【００１２】
機能性瓦補強盤Ｐは、被着する対象としての屋根瓦Ｔに合わせた形状となっているので、まず、その屋根瓦Ｔを説明すると、一般的に桟瓦と称される素焼の瓦で、左右間が中央部に低く湾曲し一側に隆起した山部１を有し、山部１の上端と反対側の反り部８の下端との両角に切欠２，３が設けられる。また、裏面の上端には瓦桟６に掛ける突起７が突設され、桟５に位置する箇所には、それに釘付けするための通し孔１０が設けられ、表面には釉薬が施され焼結されている。なお、瓦桟６は、屋根の野地板９に上下等間隔に配置して釘付けされている。
【００１３】
機能性瓦補強盤Ｐは、太陽光により不朽しないよう耐熱性のプラスチックにより一体成形されたもので、屋根瓦Ｔの平面全体に密着して被着できるようにその平面と同じ湾曲ないし屈曲形状であって、湾曲した一端に屋根瓦Ｔの山部１を被覆する山形隆起部１１が形成される。そして、一対角の両角に切欠２ａ，３ａも有する。また、周囲には屋根瓦Ｔの縁に掛かる掛止片１３が屈折して設けられている。これは必ずしも全周である必要はなく、安定して被着状態が保持されるならば、一部を除いても良い。この場合は、切欠２ａ，３ａ以外の全周においてこの掛止片１３が形成されている。
【００１４】
この実施形態における機能性瓦補強盤Ｐは、先付けとして屋根瓦Ｔに予め被着した状態において屋根に葺かれることになり、原則として屋根全体がこの機能性瓦補強盤Ｐで被覆されることになる。そこで、同時に葺くために、屋根瓦Ｔの通し孔１０に対応して釘を通す孔１５が設けられる。こうして、屋根瓦Ｔが葺かれると、図２に示すように、上の屋根瓦Ｔと横の瓦（図５参照）により、上端部１７と反り端部１８との２辺が押さえ止められるので、この機能性瓦補強盤Ｐが屋根から剥がれることは決してない。
【００１５】
図３は、他の実施形態を示したもので、その機能性瓦補強盤Ｐは、プラスチックで屋根瓦Ｔの上面の形状に合わせて成形し、その裏面にプラスチック発砲材等のシートからなる被覆材１９を付着させて複合体とした。これで葺かれた家屋では、冬季には温かく暖房の効率が良くり、夏季においては太陽熱を遮断して室内を涼しく保つことができる。また、断熱材１９が滑り止めとなるので、量産性を考慮して最初の実施形態におけるような掛止片１３を形成しなかった。しかし、掛止片１３を有する場合には安定性が抜群に良くなることは言うまでもない（図１の二点鎖線、１９参照）。また、この実施形態の場合、先付けとして使用するときには、粘着剤等で予め屋根瓦Ｔに付着してからそれを葺くようにすることが望ましい。なお、この実施形態は、後付けとして使用もしやすい形態でもある。
【００１６】
機能性瓦補強盤Ｐの色彩は、透明、半透明、不透明等で、色彩も黒、赤、白、緑、黄等、様々となる。そこで、色の配置、又は色違いの配置により、図４に示すように、屋根に模様を表すことができる。この場合は、機能性瓦補強盤Ｐの全体の色彩２０を同一としてが、図１に示すように、一部に例えば○等の範囲において色彩２０を付すものであっても良し、例えば漫画のキャラクターを表した図柄を付したものであっても良い。
【００１７】
以上のような先付けとして使用する機能性瓦補強盤Ｐの場合であると、それをソーラ発電パネルとして実施することができる。つまり、機能性瓦補強盤Ｐの断面構造のなかにソーラ発電構造を組み込む。これにはＮ型シリコンとＰ型シリコンとを上下に配置し、上には反射防止膜を介して−電極を設け、下には＋電極を設けたソーラ発電構造が挙げられる。発電された電気を取り出すには、例えば、図１および図２に二点鎖線で示すように、屋根に瓦桟５と平行に配線導入管２１を配設し、機能性瓦補強盤Ｐからの電力取入れコード２３をこれに接続するようにする。２２は接続口を示す。
【００１８】
図５および図６は、後付けとして補修用に使用するのに適する機能性瓦補強盤Ｐを示したもので、最初の実施形態におけるように周囲に掛止片１３（図１参照）を設けることとはしないで、上端に補修瓦Ｔの上端に引っ掛かる逆止爪２５だけを形成した。補修の仕方についは、ひび割れしている瓦（Ａ）を補修するためは、その上の瓦（Ｂ）を少し持ち上げながらその下に差し込む。そうすれば、逆止爪２５の引っ掛かり（図６）がある他に、上の瓦（Ｂ）と横の瓦  に押さえられているために、補修瓦（Ａ）から機能性瓦補強盤Ｐが剥がれることは決してない。
【００１９】
図７は、軒先にのみ被着する雪滑り用の機能性瓦補強盤Ｐであって、滑止め２７が付いている屋根瓦Ｔより下の二列の軒先瓦Ｔ，Ｔａについて被着するものとして形成し、雪とともに脱落しないように、図１の屋根瓦Ｔに被着するものと同様に周囲に掛止片１３が形成される。機能性瓦補強盤Ｐには出来るだけ摩擦の少なく丈夫なプラスチック、例えば、ポリエチレン、ポリプロピレン等が使用される。この実施形態の場合であると、とちらかと言えば先付けに適している。しかしながら、以上に記載した先付け、後付けは必ずしも厳格なものではなく、例えば、先付けとして製造したものを修理のために後付けとして使用することもできる。
【図面の簡単な説明】
【００２０】
【図１】この発明の一実施形態を屋根瓦との関係でそれと分離して示す斜視図である。
【図２】同機能性瓦補強盤の使用状態を示す屋根の断面図である。
【図３】他の実施形態を示す機能性瓦補強盤の斜視図である。
【図４】さらに他の実施形態の機能性瓦補強盤の使用状態を示す屋根の平面図である。
【図５】さらに他の実施形態を示す機能性瓦補強盤の斜視図である。
【図６】同機能性瓦補強盤の使用状態を示す拡大断面図である。
【図７】さらに他の実施形態の機能性瓦補強盤の使用状態を一部切欠して示す屋根の軒先部分の斜視図である。
【符号の説明】
【００２１】
Ｐ  機能性瓦補強盤
Ｔ  屋根瓦
Ｔａ  軒先の屋根瓦
１３  屋根瓦に被着するための掛止片
１９  被覆材
２０  色彩
【図１】
2007247312.tif 000003
【図２】
2007247312.tif 000004
【図３】
2007247312.tif 000005
【図４】
2007247312.tif 000006
【図５】
2007247312.tif 000007
【図６】
2007247312.tif 000008
【図７】
2007247312.tif 000009